(57)【要約】【課題】操作性の向上と撮影装置の小型化を図る。【解決手段】被写体を撮影する撮影レンズと、非撮影時に前記撮影レンズの前面を被うバリアと、バリアを開閉するバリア開閉手段と、撮影レンズを光軸方向に駆動する駆動手段と、撮影装置の操作を行う操作手段とからなり、撮影装置の操作とバリアの開閉動作とレンズを光軸方向の所定の位置に移動させる動作を１つの操作手段で行う構成にした。１つの操作手段により、撮影時のレンズバリアの開閉動作と、ズーム等のレンズの光軸方向の移動動作を合わせて行う構成にすることで、操作手段の数量削減を行うことができ、小型かつ操作性のよい撮影装置を構成できる。また、手動でレンズの移動を行う構成にした場合には、新たにレンズ駆動用のモータを設けることなく、コストの低減を図ることができるとともに、モータの大きさ分、小型軽量の撮影装置を構成することができる。【選択図】  図１
2004246116.tif 000002
【特許請求の範囲】
【請求項１】
環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズズーム部に伝達するレンズ駆動部と、前記操作手段の回転力を第３の駆動選択手段を介してレンズバリア開閉部に伝達するバリア駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記レンズ駆動部に伝達し、かつ、前記操作手段の位置が第２の範囲外にある場合には前記操作手段に加わる回転力をレンズ駆動部に伝達せず、前記第３の駆動選択手段は、前記操作手段の位置が第３の範囲内にある場合は、前記操作手段に加わる回転力を前記バリア駆動部に伝達し、かつ、前記操作手段の位置が第３の範囲外にある場合には前記操作手段に加わる回転力をバリア駆動部に伝達しないことを特徴とする撮像装置。
【請求項２】
前記第２の駆動選択手段は、円筒カムのカム溝であって、少なくとも第１の範囲内または第３の範囲内のいずれかの範囲内では、前記操作手段の回転する方向に溝が設けられていることを特徴とする請求項１記載の撮像装置。
【請求項３】
環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズズーム部に伝達するレンズ駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記レンズ駆動部に伝達し、かつ、前記操作手段の位置が第２の範囲外にある場合には前記操作手段に加わる回転力をレンズ駆動部に伝達しないことを特徴とする撮像装置。
【請求項４】
前記第２の駆動選択手段は、円筒カムのカム溝であって、第１の範囲内では、前記操作手段の回転する方向に溝が設けられていることを特徴とする請求項３記載の撮像装置。
【請求項５】
環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズバリア開閉部に伝達するバリア駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記バリア駆動部に伝達し、かつ、前記操作手段の位置が第２の範囲外にある場合には前記操作手段に加わる回転力をバリア駆動部に伝達しないことを特徴とする撮像装置。
【請求項６】
環状形状の操作手段と、前記操作手段の回転力を第１の駆動選択手段を介してレンズズーム部に伝達するレンズ駆動部と、前記操作手段の回転力を第２の駆動選択手段を介してレンズバリア開閉部に伝達するバリア駆動部とを備え、前記第１の駆動選択手段は、前記操作手段の位置が第１の範囲内にある場合は、前記操作手段に加わる回転力を前記レンズ駆動部に伝達し、かつ、前記操作手段の位置が第１の範囲外にある場合には前記操作手段に加わる回転力をレンズ駆動部に伝達せず、前記第２の駆動選択手段は、前記操作手段の位置が第２の範囲内にある場合は、前記操作手段に加わる回転力を前記バリア駆動部に伝達し、かつ、前記操作手段の位置が第２の範囲外にある場合には前記操作手段に加わる回転力をバリア駆動部に伝達しないことを特徴とする撮像装置。
【請求項７】
前記第１の駆動選択手段は、円筒カムのカム溝であって、第２の範囲内では、前記操作手段の回転する方向に溝が設けられていることを特徴とする請求項６記載の撮像装置。
【請求項８】
前記操作手段は、レンズの光軸を中心軸とする環状形状であることを特徴とする請求項１乃至７記載の撮像装置。
【請求項９】
スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズズーム部に伝達するレンズ駆動部と、前記操作手段のスライドする方向への移動力を第３の駆動選択手段を介してレンズバリア開閉部に伝達するバリア駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記レンズ駆動部に伝達し、かつ、前記操作手段の位置が第２の範囲外にある場合には前記操作手段に加わるスライドする方向への移動力をレンズ駆動部に伝達せず、前記第３の駆動選択手段は、前記操作手段の位置が第３の範囲内にある場合は、前記操作手段に加わるスライドする方向への移動力を前記バリア駆動部に伝達し、かつ、前記操作手段の位置が第３の範囲外にある場合には前記操作手段に加わるスライドする方向への移動力をバリア駆動部に伝達しないことを特徴とする撮像装置。
【請求項１０】
前記第２の駆動選択手段は、円筒カムのカム溝であって、少なくとも第１の範囲内または第３の範囲内のいずれかの範囲内では、前記操作手段の回転する方向に溝が設けられていることを特徴とする請求項１記載の撮像装置。
【請求項１１】
スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズズーム部に伝達するレンズ駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記レンズ駆動部に伝達し、かつ、前記操作手段の位置が第２の範囲外にある場合には前記操作手段に加わるスライドする方向への移動力をレンズ駆動部に伝達しないことを特徴とする撮像装置。
【請求項１２】
前記第２の駆動選択手段は、円筒カムのカム溝であって、第１の範囲内では、前記操作手段の回転する方向に溝が設けられていることを特徴とする請求項３記載の撮像装置。
【請求項１３】
スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズバリア開閉部に伝達するバリア駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記バリア駆動部に伝達し、かつ、前記操作手段の位置が第２の範囲外にある場合には前記操作手段に加わるスライドする方向への移動力をバリア駆動部に伝達しないことを特徴とする撮像装置。
【請求項１４】
スライド式の操作手段と、前記操作手段のスライドする方向への移動力を第１の駆動選択手段を介してレンズズーム部に伝達するレンズ駆動部と、前記操作手段のスライドする方向への移動力を第２の駆動選択手段を介してレンズバリア開閉部に伝達するバリア駆動部とを備え、前記第１の駆動選択手段は、前記操作手段の位置が第１の範囲内にある場合は、前記操作手段に加わるスライドする方向への移動力を前記レンズ駆動部に伝達し、かつ、前記操作手段の位置が第１の範囲外にある場合には前記操作手段に加わるスライドする方向への移動力をレンズ駆動部に伝達せず、前記第２の駆動選択手段は、前記操作手段の位置が第２の範囲内にある場合は、前記操作手段に加わるスライドする方向への移動力を前記バリア駆動部に伝達し、かつ、前記操作手段の位置が第２の範囲外にある場合には前記操作手段に加わるスライドする方向への移動力をバリア駆動部に伝達しないことを特徴とする撮像装置。
【請求項１５】
前記第１の駆動選択手段は、円筒カムのカム溝であって、第２の範囲内では、前記操作手段の回転する方向に溝が設けられていることを特徴とする請求項６記載の撮像装置。
【請求項１６】
前記操作手段は、レンズの光軸を中心軸とするスライド式であることを特徴とする請求項１乃至７記載の撮像装置。
【請求項１７】
前記操作手段は前記操作手段の回転方向での位置にモータのＯＮ／ＯＦＦ切り換え部を備え、前記ＯＮ／ＯＦＦ切り換え部の位置により、少なくとも前記レンズ駆動部または前記バリア駆動部のいずれかにおける前記操作手段の回転力はモータにより得られることを特徴とする少なくとも請求項１乃至８のいずれかに記載の撮像装置。
【請求項１８】
前記操作手段は前記操作手段の移動方向での位置にモータのＯＮ／ＯＦＦ切り換え部を備え、前記ＯＮ／ＯＦＦ切り換え部の位置により、少なくとも前記レンズ駆動部または前記バリア駆動部のいずれかにおける前記操作手段の移動力はモータにより得られることを特徴とする少なくとも請求項９乃至１６のいずれかに記載の撮像装置。
【発明の詳細な説明】
【０００１】
【発明の属する技術分野】
この発明は、小型デジタルカメラ等の撮影装置に関するものである。
【０００２】
【従来の技術】
近年、デジタルカメラの普及とともに、携帯性に優れた超小型のカメラが望まれている。そこでレンズ鏡筒の小型化とともに、モータ等の駆動力を頼らずレンズバリアの開閉を行う装置が提案されている。例えば、レンズバリアの開閉装置である（特許文献１参照）。
【０００３】
図９、図１０、図１１を用いて、その構成を説明する。図９はレンズバリア開閉装置の斜視図、図１０はカメラの要部の断面図、図１１は図９のレンズバリアが閉じられた状態を矢印ＩＩＩ方向から見た様子を示す図である。
【０００４】
カメラ本体１０１に対して繰り出し及び繰り込みが可能な鏡筒ＬＢに装着され、鏡筒ＬＢに内蔵された撮影レンズ１０８の前面を覆う閉位置と前面を開放にする位置とに移動可能なレンズバリア１０１８，１０１９と、鏡筒ＬＢから離して設けられ、複数の位置に操作可能な操作部材１０１３と、鏡筒ＬＢがその移動範囲の少なくとも一部にあるとき、操作部材１０１３からレンズバリア１０１８，１０１９までの駆動力の伝達が可能となるように構成されている。また、伝達機構１０１６，１０１７，１０２０は、鏡筒ＬＢの移動範囲の全域で操作部材１０１３からレンズバリア１０１８，１０１９への駆動力の伝達が可能となるように構成されている。
【０００５】
上記構成により、鏡筒内のレンズバリアを鏡筒から離して設けられた操作部材からの駆動力で駆動するようにしたので、鏡筒の駆動力をレンズバリアの駆動力に振り分ける必要がないので鏡筒の駆動力をコンパクトに構成できるようにしているとともに、鏡筒の位置に関係なくレンズバリアの開閉を行うことができるようにしたものである。
【０００６】
【特許文献１】
特開平１０−１６１１８６号公報
【０００７】
【発明が解決しようとする課題】
しかしながら、従来の装置においては、次のような問題点があった。
【０００８】
カメラの操作スイッチの動作とレンズバリアの動作を連動させ、レンズの光軸方向の位置には連動させない構成であるため、各種操作モード特にズーム操作などの操作を行うには、別途操作手段を設けねばならず、操作スイッチが多くなり、カメラに搭載するスイッチ類が多くなり、配置が困難になるとともに、操作性と小型化に課題があった。
【０００９】
また、ズーム動作とは、分離した構成になっているために、部品点数が増加するとともに、小型化に適さないという課題があった。
【００１０】
したがって、この発明の目的は、撮影装置の操作（電源スイッチのＯＮ／ＯＦＦ操作など）と、レンズバリアの開閉動作、レンズの光軸方向の移動動作（ズーム動作など）を１つの操作手段で行うことができる構成としているために、操作スイッチ等の削減および、手動で駆動可能に構成した場合には、モータの削減および、コスト低減を図ることができるとともに、装置の小型化や、操作性の良い撮影装置を提供することである。
【００１１】
【課題を解決するための手段】
請求項１記載の撮影装置は、環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズズーム部に伝達するレンズ駆動部と、前記操作手段の回転力を第３の駆動選択手段を介してレンズバリア開閉部に伝達するバリア駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記レンズ駆動部に伝達し、かつ、前記操作手段の位置が第２の範囲外にある場合には前記操作手段に加わる回転力をレンズ駆動部に伝達せず、前記第３の駆動選択手段は、前記操作手段の位置が第３の範囲内にある場合は、前記操作手段に加わる回転力を前記バリア駆動部に伝達し、かつ、前記操作手段の位置が第３の範囲外にある場合には前記操作手段に加わる回転力をバリア駆動部に伝達しない構成にしたものである。
【００１２】
請求項２記載の撮影装置は、前記第２の駆動選択手段は、円筒カムのカム溝であって、少なくとも第１の範囲内または第３の範囲内のいずれかの範囲内では、前記操作手段の回転する方向に溝を設けた構成にしたものである。
【００１３】
請求項３記載の撮影装置は、環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズズーム部に伝達するレンズ駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記レンズ駆動部に伝達し、かつ、前記操作手段の位置が第２の範囲外にある場合には前記操作手段に加わる回転力をレンズ駆動部に伝達しない構成にしたものである。
【００１４】
請求項４記載の撮影装置は、前記第２の駆動選択手段は、円筒カムのカム溝であって、第１の範囲内では、前記操作手段の回転する方向に溝を設けた構成にしたものである。
【００１５】
請求項５記載の撮影装置は、環状形状の操作手段と、前記操作手段の回転力を第１の駆動選択手段を介して電源スイッチ切り換え部に伝達するスイッチ駆動部と、前記操作手段の回転力を第２の駆動選択手段を介してレンズバリア開閉部に伝達するバリア駆動部とを備え、前記第１の駆動選択手段は、前記操作手段の回転方向での位置が第１の範囲内にある場合は、前記操作手段に加わる回転力をスイッチ駆動部に伝達し、かつ、前記操作手段の位置が第１の範囲外にある場合には前記操作手段に加わる回転力をスイッチ駆動部には伝達せず、前記第２の駆動選択手段は、前記操作手段の位置が第２の範囲内にある場合は、前記操作手段に加わる回転力を前記バリア駆動部に伝達し、かつ、前記操作手段の位置が第２の範囲外にある場合には前記操作手段に加わる回転力をバリア駆動部に伝達しない構成にしたものである。
【００１６】
請求項６記載の撮影装置は、環状形状の操作手段と、前記操作手段の回転力を第１の駆動選択手段を介してレンズズーム部に伝達するレンズ駆動部と、前記操作手段の回転力を第２の駆動選択手段を介してレンズバリア開閉部に伝達するバリア駆動部とを備え、前記第１の駆動選択手段は、前記操作手段の位置が第１の範囲内にある場合は、前記操作手段に加わる回転力を前記レンズ駆動部に伝達し、かつ、前記操作手段の位置が第１の範囲外にある場合には前記操作手段に加わる回転力をレンズ駆動部に伝達せず、前記第２の駆動選択手段は、前記操作手段の位置が第２の範囲内にある場合は、前記操作手段に加わる回転力を前記バリア駆動部に伝達し、かつ、前記操作手段の位置が第２の範囲外にある場合には前記操作手段に加わる回転力をバリア駆動部に伝達しない構成にしたものである。
【００１７】
請求項７記載の撮影装置は、前記第１の駆動選択手段は、円筒カムのカム溝であって、第２の範囲内では、前記操作手段の回転する方向に溝を設けたものである。
【００１８】
請求項８記載の撮影装置は、前記操作手段は、レンズの光軸を中心軸とする環状形状としたものである。
【００１９】
請求項９記載の撮影装置は、スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズズーム部に伝達するレンズ駆動部と、前記操作手段のスライドする方向への移動力を第３の駆動選択手段を介してレンズバリア開閉部に伝達するバリア駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記レンズ駆動部に伝達し、かつ、前記操作手段の位置が第２の範囲外にある場合には前記操作手段に加わるスライドする方向への移動力をレンズ駆動部に伝達せず、前記第３の駆動選択手段は、前記操作手段の位置が第３の範囲内にある場合は、前記操作手段に加わるスライドする方向への移動力を前記バリア駆動部に伝達し、かつ、前記操作手段の位置が第３の範囲外にある場合には前記操作手段に加わるスライドする方向への移動力をバリア駆動部に伝達しない構成にしたものである。
【００２０】
請求項１０記載の撮影装置は、前記第２の駆動選択手段は、円筒カムのカム溝であって、少なくとも第１の範囲内または第３の範囲内のいずれかの範囲内では、前記操作手段の回転する方向に溝を設けた構成にしたものである。
【００２１】
請求項１１記載の撮影装置は、スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズズーム部に伝達するレンズ駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記レンズ駆動部に伝達し、かつ、前記操作手段の位置が第２の範囲外にある場合には前記操作手段に加わるスライドする方向への移動力をレンズ駆動部に伝達しない構成にしたものである。
【００２２】
請求項１２記載の撮影装置は、前記第２の駆動選択手段は、円筒カムのカム溝であって、第１の範囲内では、前記操作手段の回転する方向に溝を設けたものである。
【００２３】
請求項１３記載の撮影装置は、スライド式の操作手段と、前記操作手段のスライドする方向への移動力を第１の駆動選択手段を介して電源スイッチ切り換え部に伝達するスイッチ駆動部と、前記操作手段のスライドする方向への移動力を第２の駆動選択手段を介してレンズバリア開閉部に伝達するバリア駆動部とを備え、前記第１の駆動選択手段は、前記操作手段の回転方向での位置が第１の範囲内にある場合は、前記操作手段に加わるスライドする方向への移動力をスイッチ駆動部に伝達し、かつ、前記操作手段の位置が第１の範囲外にある場合には前記操作手段に加わるスライドする方向への移動力をスイッチ駆動部には伝達せず、前記第２の駆動選択手段は、前記操作手段の位置が第２の範囲内にある場合は、前記操作手段に加わるスライドする方向への移動力を前記バリア駆動部に伝達し、かつ、前記操作手段の位置が第２の範囲外にある場合には前記操作手段に加わるスライドする方向への移動力をバリア駆動部に伝達しない構成にしたものである。
【００２４】
請求項１４記載の撮影装置は、スライド式の操作手段と、前記操作手段のスライドする方向への移動力を第１の駆動選択手段を介してレンズズーム部に伝達するレンズ駆動部と、前記操作手段のスライドする方向への移動力を第２の駆動選択手段を介してレンズバリア開閉部に伝達するバリア駆動部とを備え、前記第１の駆動選択手段は、前記操作手段の位置が第１の範囲内にある場合は、前記操作手段に加わるスライドする方向への移動力を前記レンズ駆動部に伝達し、かつ、前記操作手段の位置が第１の範囲外にある場合には前記操作手段に加わるスライドする方向への移動力をレンズ駆動部に伝達せず、前記第２の駆動選択手段は、前記操作手段の位置が第２の範囲内にある場合は、前記操作手段に加わるスライドする方向への移動力を前記バリア駆動部に伝達し、かつ、前記操作手段の位置が第２の範囲外にある場合には前記操作手段に加わるスライドする方向への移動力をバリア駆動部に伝達しない構成にしたものである。
【００２５】
請求項１５記載の撮影装置は、前記第１の駆動選択手段は、円筒カムのカム溝であって、第２の範囲内では、前記操作手段の回転する方向に溝を設けた構成にしたものである。
【００２６】
請求項１６記載の撮影装置は、前記操作手段は、レンズの光軸を中心軸とするスライド式の構成にしたものである。
【００２７】
請求項１７記載の撮影装置は、前記操作手段は前記操作手段の回転方向での位置にモータのＯＮ／ＯＦＦ切り換え部を備え、前記ＯＮ／ＯＦＦ切り換え部の位置により、少なくとも前記レンズ駆動部または前記バリア駆動部のいずれかにおける前記操作手段の回転力はモータにより得られる構成にしたものである。
【００２８】
請求項１８記載の撮影装置は、前記操作手段は前記操作手段の移動方向での位置にモータのＯＮ／ＯＦＦ切り換え部を備え、前記ＯＮ／ＯＦＦ切り換え部の位置により、少なくとも前記レンズ駆動部または前記バリア駆動部のいずれかにおける前記操作手段の移動力はモータにより得られる構成にしたものである。
【００２９】
【発明の実施の形態】
（第１の実施の形態）
この発明の第１の実施の形態について図１、図２、図３、図４を用いて説明する。
【００３０】
図１は、第１の実施の形態のデジタルカメラの外観図、図２はレンズ鏡筒部分の断面構成図、図３は、円筒カムの展開図、図４はＰ矢視のレンズバリア構成図である。
【００３１】
第１の実施の形態は請求項１、２及び８に対応しており、第１の実施の形態では操作手段はレンズの光軸を中心軸とした環状形状であるリング状の操作スイッチ１２、スイッチ駆動部は連結ピン１３、円筒カム３、円筒カム３の端面３ｆ及び３ｅ、及びスイッチ１５及び１６、レンズ駆動部は、連結ピン１３、円筒カム３、円筒カム３の溝３ａ及び３ｂ、及びカムピン４及び６、バリア駆動部は連結ピン１３、円筒カム３、円筒カムの傾斜部３ｃ、駆動ピン９を主として構成される。
【００３２】
ここで、第１の駆動選択手段は、スイッチ１５及び１６の突起部が円筒カムの端面３ｆ，３ｅの間の傾斜部（第１の範囲内）にある場合にはスイッチ１５及び１６の突起部が前記円筒カムの傾斜部により付勢されることにより操作手段１２の回転力が電源スイッチ切り換え部（１５及び１６）に伝達されるが、円筒カム３ｆ及び３ｅの間（傾斜部を除く）ではスイッチ１５及び１６の突起部が付勢されないため、操作手段１２の回転力を伝達しない。
【００３３】
第２の駆動選択手段は、カムピン４及び６が円筒カム溝３ａ及び３ｂについて図３のｙ方向に対し平行でない範囲（第２の範囲内）にある場合は、ｙ方向に対し角度を設けてあるので円筒カム溝３ａ及び３ｂに沿って円筒カム３が回転することによりレンズズーム部（Ｌ１，Ｌ２）に伝達されるが、ｙ方向に平行な部分では回転方向とカム溝３ａ及び３ｂが平行なことから操作手段１２の回転力を伝達しない。
【００３４】
第３の駆動選択手段は、駆動ピン９と円筒カム３の傾斜部３ｃが当接する範囲（第３の範囲内）にある場合には駆動ピン９と円筒カム３の傾斜部３ｃが当接し、駆動ピン９が回動することにより操作手段１２の回転力をバリアの開閉に伝達するが、当接しない範囲では駆動ピン９と円筒カム３の傾斜部３ｃが当接しないことから、操作手段１２の回転力を伝達しない。
【００３５】
なお、第２の駆動選択手段は、主として円筒カムのカム溝であって、少なくとも第１の範囲内または第３の範囲内のいずれかの範囲内では、前記操作手段の回転する方向（ｙ方向）に溝が設けられている。
【００３６】
このような構成により、カメラ本体の操作手段１２により撮影時のレンズバリアの開閉動作、ズーム等のレンズの光軸方向の移動動作、及びカメラ本体の電源のＯＮ／ＯＦＦ切り換え等を１つの操作手段で行うことができることから、操作スイッチの削減を通じてコストの削減、小型軽量の撮影装置を実現することができる。
【００３７】
なお、実施の形態１ではカメラ本体のＯＮ／ＯＦＦ、レンズのズーム、バリアの開閉の操作としているが、その他の操作をさらに組み合わせてものであったもよく、逆に請求項３から７に記載したように上記の３つの操作のいずれか２つを組み合わせたものであってもよい。
【００３８】
また、本実施の形態においては駆動選択手段は１つの操作手段により各種操作を行うことができれば、本実施の形態に限定されるものではない。
【００３９】
以下、本実施の形態１について更に詳細に説明する。
【００４０】
Ｌ１は第１レンズ群、Ｌ２は第２レンズ群、１はＬ１，Ｌ２のレンズ群を通して撮影された光学像を電気信号に変換する撮像素子（ＣＣＤ）である。
【００４１】
第１レンズ群Ｌ１を保持する第１レンズ保持枠２には、円筒カム３の溝３ａと嵌合するカムピン４を３つ設けている。第２レンズ群Ｌ２を保持する第２レンズ保持枠５には円筒カム３の溝３ｂと嵌合するカムピン６を３つ設けている。これにより、円筒カム３が光軸周りに回転すると、円筒カム３のカム溝３ａ，３ｂに沿って、第１レンズ群Ｌ１と第２レンズ群Ｌ２は光軸方向に移動する。
【００４２】
撮影レンズの前面を覆うレンズバリア７ａ，７ｂは、ギア７ｃ，７ｄで連結されており、回動ピン８ａ，８ｂを中心に回動する。レンズバリア７ａは、ばね（図示せず）により、常時閉状態になるように付勢されている。撮影時には、円筒カム３がｘ方向に回動し、レンズバリア７ａに設けた駆動ピン９と円筒カム３に設けた傾斜部３ｃが当接し、駆動ピン９が回動することによりレンズバリア７ａ，７ｂは破線に示すとおり開動作を行う。また、撮影時から非撮影時には、円筒カム３がｘ方向と反対方向に回動し、前述の逆の動作を行うことで閉動作を行い、撮影レンズの前面を遮蔽する。
【００４３】
カメラ本体１０には、レンズ本体１１が固定されており、このレンズ本体１１の外周にはカメラの各種モード（記録／再生、電源ＯＮ／ＯＦＦなど）を表示設定し、ズーム動作を行うリング状の操作スイッチ１２が設けてあり、この操作スイッチ１２は連結ピン１３にて円筒カム３と係合している。
【００４４】
操作スイッチ１２には、記録した画像を再生するモード、電源ＯＦＦモード、電源ＯＮ＆レンズバリア開モード、ズーム（ＷＩＤＥ）位置およびズーム（ＴＥＬＥ）位置の操作モードを設けている。これにより、操作スイッチ１２を矢印ｙ方向に回転させることにより、連結ピン１３を介して円筒カム３が回転し、再生モード設定位置に設けたスイッチ１５が円筒カム３ｅの面によりＯＮになり、本体は、電源ＯＮかつ再生モードに設定される。また、操作スイッチ１２が矢印ｙ方向と反対方向に回転させたときは、スイッチ１５がＯＦＦになり、電源もＯＦＦになる。さらに回転させると、電源スイッチ１６が円筒カム３の端面３ｆにより、ＯＮの状態になる。それと同時に、円筒カムの傾斜部３ｃにより、レンズバリア７ａに設けた駆動ピン９が駆動され、レンズバリアの開動作が行われるようにしている。
【００４５】
以上のように構成された撮影装置について、以下その動作を述べる。
【００４６】
レンズ鏡筒の光軸と同軸上に設けたリング状の操作スイッチ１２を、図１に示すように電源ＯＦＦの位置から電源ＯＮ＆バリア開の位置にすると、操作スイッチ１２の回転が連結ピン１３を介して円筒カム３に伝達され、円筒カム３の先端に設けた３ｃ部により、レンズバリア７ａに設けた駆動ピン９が回転し、レンズバリア７ａ，７ｂが回転軸８を中心に回動してオープン状態となる。
【００４７】
操作スイッチ１２がさらに回転してズーム位置（ＷＩＤＥ）に来たときには、円筒カム３に設けたレンズ駆動用のカム溝３ａ，３ｂにレンズＬ１，Ｌ２が移動案内されて、ＷＩＤＥ（広角）モードでの撮影可能な所定の位置に移動し、広角撮影ができるようになる。
【００４８】
さらに、ズーム（ＴＥＬＥ）位置に回転することにより、ＴＥＬＥ（望遠）での撮影ができる構成にしている。
【００４９】
以上のように本実施の形態によれば、被写体を撮影する撮影レンズと、非撮影時に前記撮影レンズの前面を被うバリアと、バリアを開閉するバリア開閉手段と、撮影レンズを光軸方向に駆動する駆動手段と、撮影装置の操作を行う操作手段とからなり、撮影装置の操作とバリアの開閉動作とレンズを光軸方向の所定の位置に移動させる動作を１つの操作手段で行う構成としたことにより、カメラ本体の操作手段（電源ＯＦＦ、再生モード設定（電源ＯＮ））により、撮影時のレンズバリアの開閉動作と、ズーム操作を合わせて行う構成にすることで、操作手段の数量削減を行うことができ、小型かつ操作性のよい撮影装置を構成できる。また、実施の形態では、手動でレンズの移動を行う構成にしているので、新たにレンズ駆動用のモータを設けることなく、コストの低減を図ることができるとともに、モータの大きさ分、小型軽量の撮影装置を構成することができる。
【００５０】
なお、レンズの駆動動作をズームとして説明したが、操作手段により、レンズ部がデジタルカメラ本体に収納および繰り出すいわゆる沈胴動作も行えることはいうまでもない。
【００５１】
なお、操作スイッチのモードは実施の形態のモードのみに限定するものではなく、例えば接写モード位置などが構成できる。
【００５２】
なお、操作スイッチは、カメラの前面（被写体側）の撮影レンズの光軸と同心円状に設けているが、前面に限定するものではなく、カメラ背面に構成しても良い。
【００５３】
（第２の実施の形態）
つぎに、第２の実施の形態について、図５、図６、図７を用いて構成及び動作を説明する。図５は、第２の実施の形態におけるデジタルカメラの背面から見たときの斜視図である。図６は第２の実施の形態におけるレンズ部分の断面構成図、図７は、円筒カムの展開および、連結部の概念図である。第１の実施の形態と同様の部品については、説明を割愛するとともに、同一機能部品は同一番号を付与する。
【００５４】
第２の実施の形態は、操作スイッチを、デジタルカメラ背面に配置した構成とした場合について説明する。
【００５５】
円筒カム３を回転駆動させるために、円筒カム３の像面側端部にはギア３ｇを設けている。カメラ本体１０の背面に設けたスライド操作スイッチ２０にはラック２１を一体に設けている。このラック２１は伝達ギア２２ａと噛合し、かつ円筒カムに設けたギア３ｇと噛合する伝達ギア２２ｂをシャフト２２を介して構成している。
【００５６】
以上のように構成された第２の実施の形態のデジタルカメラについて、以下その動作を述べる。
【００５７】
デジタルカメラ本体の背面に設けたスライドスイッチ２０を、図５に示すように電源ＯＦＦの位置から電源ＯＮ＆バリア開の位置にすると、スライドスイッチ２０の移動に伴い、ラック２１、および伝達ギア２２ａ，２２ｂを介して円筒カムギア３ｇに駆動力が伝達され円筒カム３が回転駆動する。これにより、実施の形態１と同様に、レンズバリア７の開閉動作、およびレンズ群Ｌ１，Ｌ２の光軸方向の移動がなされ所定の撮影モードに設定される。
【００５８】
以上のように第２の実施の形態によれば、カメラ本体の１つの操作スイッチによりレンズバリアの開閉動作および、レンズの光軸方向の移動動作（ズーム）を手動により行う構成にすることで、新たにバリア開閉用・レンズ駆動用のモータを設けることなく操作できるので、コストを低減できるとともに、モータの大きさ分、小型軽量の撮影装置を構成することができる。
【００５９】
なお、本実施の形態では、カメラ本体の背面にスライドスイッチを設けているが、背面に限定するものではなく天面に設けても良い。
【００６０】
また、本実施の形態では、スライドスイッチで構成しているが、操作スイッチの移動量が、円筒カムの回転力として伝達できる構成であればスライドスイッチの形式に限定されない。例えば、回転型のスイッチでも良い。
【００６１】
（第３の実施の形態）
つぎに、第３の実施の形態について、図８を用いて構成及び動作を説明する。図８は、第３の実施の形態におけるレンズ部分の断面構成図である。第１の実施の形態と同様の部品については、説明を割愛するとともに、同一機能部品は同一番号を付与する。
【００６２】
第３の実施の形態は、操作スイッチ１２の回転位置を検出して、その検出信号に応じて、モータ３２を駆動制御してレンズの移動制御を行う構成にしたものである。以下、その構成と動作について説明する。
【００６３】
操作スイッチ１２の回転位置を検出するロータリーエンコーダ３０は、操作スイッチ１２の内側に設けたギア１２ａとロータリーエンコーダ３０に設けたギア３０ａが噛合することで、操作スイッチ１２の回転位置を検出する。
【００６４】
レンズ移動動作は、円筒カム３の回動用（レンズ駆動用）モータ３２が円筒カムのギア３ｇと噛合して、それぞれのモータの駆動力により、レンズ移動動作を行う構成にしている。モータ３２の駆動制御は、制御回路３４により、ロータリーエンコーダ３０の検出信号に応じて、各駆動モータの回転を制御するとともに、カメラの操作モードを制御するために、カメラマイコン３５への指令を送る構成としている。
【００６５】
以上のようにこの実施の形態によれば、カメラ本体の１つの操作スイッチ（例えば電源スイッチ、モード切替スイッチなど）によりレンズバリアの開閉動作および、レンズの光軸方向の移動動作（ズーム）をモータにより行う構成にすることで、部品点数の低減を図るとともに、負荷の少ない操作で、各操作モードを実現できるため操作性のよい撮影装置を構成することができる。
【００６６】
なお、実施の形態では、ズーム動作にモータを用いているが、これに限定せず、バリア開閉動作をモータにより行い、レンズの光軸方向の移動動作を実施の形態１同様手動により行う等の構成でもよい。また、レンズ開閉動作及びレンズの光軸方向の移動動作のいずれもモータにより行う構成としてもよい。
【００６７】
【発明の効果】
カメラ本体の操作手段（例えば電源スイッチ、モード切替スイッチなど）により、撮影時のレンズバリアの開閉動作と、ズーム等のレンズの光軸方向の移動動作を合わせて行う構成にすることで、操作手段の数量削減を行うことができ、小型かつ操作性のよい撮影装置を構成できる。また、手動でレンズの移動を行う構成にした場合には、新たにレンズ駆動用のモータを設けることなく、コストの低減を図ることができるとともに、モータの大きさ分、小型軽量の撮影装置を構成することができる。
【００６８】
また、レンズズーム部に操作手段の回転力を伝達する際の駆動選択手段を円筒カムのカム溝を構成要素とし、レンズ駆動部に前記回転力を伝達しない範囲では、前記操作手段の回転する方向に円筒カムのカム溝を設けることで、レンズズームと電源スイッチのＯＮ／ＯＦＦ等の操作とを効率よく独立して操作することが可能となる。
【００６９】
さらに、操作手段をレンズの光軸を中心軸とする環状形状とすることで、操作手段の回転力を円筒カムに効率よく伝達することができ、複数の駆動部材をそれぞれの動作に応じて容易に駆動させる事ができる。また、操作手段と円筒カムを容易に連結できるため少ない部品点数で各駆動手段の駆動を行うことが容易に構成できる。
【図面の簡単な説明】
【図１】この発明の第１の実施の形態によるデジタルカメラの外観図
【図２】第１の実施の形態によるデジタルカメラのレンズ鏡筒部分の断面構成図
【図３】第１の実施の形態における円筒カムの構成図
【図４】第１の実施の形態におけるＰ矢視構成図
【図５】第２の実施の形態におけるデジタルカメラの裏面外観図
【図６】第２の実施の形態におけるデジタルカメラのレンズ鏡筒部分の断面構成図
【図７】第２の実施の形態における円筒カムの構成図
【図８】第３の実施の形態におけるデジタルカメラのレンズの鏡筒部分の断面構成図
【図９】従来のレンズバリア開閉装置の斜視図
【図１０】従来のカメラの要部の断面図
【図１１】図９のレンズバリアが閉じられた状態を矢印ＩＩＩ方向から見た様子を示す図
【符号の説明】
Ｌ１  第１レンズ群
Ｌ２  第２レンズ群
１  ＣＣＤ
２  第１レンズ保持枠
３  円筒カム
５  第２レンズ保持枠
７  レンズバリア
１０  カメラ本体
１２，２０  操作スイッチ
３０  ロータリーエンコーダ
３２  モータ
３４  制御回路
３５  カメラマイコン
【図１】
2004246116.tif 000003
【図２】
2004246116.tif 000004
【図３】
2004246116.tif 000005
【図４】
2004246116.tif 000006
【図５】
2004246116.tif 000007
【図６】
2004246116.tif 000008
【図７】
2004246116.tif 000009
【図８】
2004246116.tif 000010
【図９】
2004246116.tif 000011
【図１０】
2004246116.tif 000012
【図１１】
2004246116.tif 000013